(57)【要約】  【課題】  複雑な作業を要せず、かつ、経費も安価で短時間に乾燥可能なごみ乾燥機を提供することを課題とする。  【構成】 河川等のごみ類を乾燥する乾燥機において、箱体の側面に設けられた開口と、該開口に取付ける送風機と、該箱体の上側面に設けられた乾燥空気が通過可能な網状カバーとを具備し、該網状カバーの上面又は上方に乾燥するごみ類を堆積可能に設けたことを特徴とし、前記箱体は、地面に穴を掘って、地面穴の中に配置することも可能である。【選択図】 図１
2005034725.tif 000002
【特許請求の範囲】
【請求項１】
河川等のごみ類を乾燥する乾燥機において、箱体の側面に設けられた開口と、該開口に取付ける送風機と、該箱体の上側面に設けられた乾燥空気が通過可能な網状カバーとを具備し、該網状カバーの上面又は上方に乾燥するごみ類を堆積可能に設けたことを特徴とするごみ乾燥装置。
【請求項２】
前記箱体は、地面に穴を掘って、該地面穴の中に配置すると共に、前記網状カバーを地面と略平坦に設けたことを特徴とする請求項１に記載のごみ乾燥装置。
【請求項３】
前記地面穴は、周囲及び底にコンクリート壁を設けると共に、該穴に前記箱体を配置する中央室と該中央室の周りに乾燥用空気を供給する空気通風室を設け、該中央室の上側に前記網状カバーを支持する梁部材を設け、該梁部材の上面に該網状カバーを配置し、前記空気通風室の上側には空気取り込み口と点検口を兼用した開口を有する板材で覆うように構成したことを特徴とする請求項２に記載のごみ乾燥装置。
【請求項４】
前記箱体は運搬に便利な大きさに構成すると共に、複数個を組み合わせて設置可能に構成したことを特徴とする請求項１〜請求項３の何れか１に記載のごみ乾燥装置。
【請求項５】
前記網状カバーは通過空気を均等に吹出し可能な小穴を有するパンチングメタルで構成したことを特徴とする請求項１〜請求項４の何れか１に記載のごみ乾燥装置。
【発明の詳細な説明】
【技術分野】
【０００１】
この発明は、水分の多いごみ類を乾燥する乾燥機に関するものである。
【背景技術】
【０００２】
従来河川等に流れてきたごみ類を採集して処分するために焼却する必要があった。河川等を流れてきたごみ類は水分を多量に含んでいるために、直接焼却すると燃料が余分に必要であったり、白煙を放出したり不都合があった。このために、そのような水分を多量に含んだごみ類をコンクリート等の地面上に積載して天日で乾燥させ、乾燥後焼却炉で焼却が行われていた。  
【発明の開示】
【発明が解決しようとする課題】
【０００３】
しかし、ごみ類をコンクリート等の地面上に積載して天日で乾燥させても、上側部分はある程度乾燥しても、下側にあるごみ類は十分に乾燥せず、焼却作業に不都合が生じていた。本発明は、上記事実に鑑みなされたものであり、複雑な作業を要せず、かつ、経費も安価で短時間に乾燥可能なごみ乾燥機を提供することを課題とする。  
【課題を解決するための手段】
【０００４】
本発明は上記の課題を解決するための手段として以下の構成を採用している。即ち、
請求項１に記載の発明は、河川等のごみ類を乾燥する乾燥機において、箱体の側面に設けられた開口と、該開口に取付ける送風機と、該箱体の上側面に設けられた乾燥空気が通過可能な網状カバーとを具備し、該網状カバーの上面又は上方に乾燥するごみ類を堆積可能に設けたことを特徴としている。
【０００５】
また、請求項１に記載の発明は、請求項１記載の発明において、前記箱体は、地面に穴を掘って、該地面穴の中に配置すると共に、前記網状カバーを地面と略平坦に設けたことを特徴としている。
【０００６】
請求項３に記載の発明は、請求項２に記載の発明において、前記地面穴は、周囲及び底にコンクリート壁を設けると共に、該穴に前記箱体を配置する中央室と該中央室の周りに乾燥用空気を供給する空気通風室を設け、該中央室の上側に前記網状カバーを支持する梁部材を設け、該梁部材の上面に該網状カバーを配置し、前記空気通風室の上側には空気取り込み口と点検口を兼用した開口を有する板材で覆うように構成したことを特徴としている。
【０００７】
請求項４に記載の発明は、請求項１〜請求項３に記載の発明において、前記箱体は運搬に便利な大きさに構成すると共に、複数個を組み合わせて設置可能に構成したことを特徴としている。
【０００８】
請求項５に記載の発明は、請求項１〜請求項４に記載の発明において、前記網状カバーは通過空気を均等に吹出し可能な小穴を有するパンチングメタルで構成したことを特徴としている。
【発明の効果】
【０００９】
網状カバーの上面に乾燥するごみ類を積載させ、網状カバーの下側から周囲の乾燥空気を供給するように構成したので、短時間に、しかも均一にごみ類を乾燥させることができるという効果が得られる。また、地面に穴を掘って、その穴の中に箱体を配置した場合はごみ類の積載、運搬が容易となり、同時に地面のスペースを有効に活用ができるという効果が得られる。また、大量のごみ類を乾燥させる場合は、箱体を分割して構成可能にしたので、運搬、組立作業が容易になるという効果が得られる。
【発明を実施するための最良の形態】
【００１０】
以下本発明の実施形態を図に基づいて説明する。
図１は、本発明を実施した第１実施形態を示す。図１（Ａ）は上平面図、図１（Ｂ）は側面図を示す。図１に示すごみ乾燥装置１０は１個の箱体（または、函体）から構成されており、処理量が少なく小規模の場合に適用される。図１において、箱体１１は上側面が開放されている。箱体１１の側壁１２には円形の穴が設けられており、この穴に中空の円筒からなるガイド１３が固設されている。ガイド１３の外側端には送風機１５が接続固定される。送風機１５はケース１６に覆われているモータとケース１７の中に収められている伝動ベルトによって駆動されるように構成されている。
【００１１】
箱体１１の上側には、例えばＩ型鋼からなる複数の支持梁が固設され、この支持梁１８の上側面に無数の小穴（パンチ穴）２０を有するパンチングメタル２０が配置される。パンチ穴２０は上に載せたごみ類が落下せず、かつ、送風機１５によって送られてくる空気が均一になるような大きさの穴径にするのが望ましい。このごみ乾燥装置１０はサイズが小さいので、地上（又は、地上に設けられた基台の上）に置いて使用してもよい。
【００１２】
第１実施形態は以上に述べた構成により、以下のように機能する。即ち、河川から流れてきた水分を多量に含んだごみ類をパンチングメタル２０の上に積載し、モータのスイッチ（図示省略）を入れると周囲の乾燥した空気がガイド１３、箱体１１を経てパンチ穴２０から均一に上方に向かって噴出されるので、ごみ類は短時間によく乾燥される。
【００１３】
図２〜図４は本発明の第２実施形態で、比較的多量のごみ類を処理可能な場合について説明している。ごみ乾燥装置は４個の箱体を組み合わせて構成され、しかも地面に穴を掘って、その穴に設置する場合を示している。図２はごみ乾燥装置２３の上平面図を示す。なお、横中心軸Ｘ−Ｘ及び縦中心軸Ｙ−Ｙに対して対象であり、一部を省略して図示している。図３は図２のＡ−Ａ線から見た側面断面図を示す。図４は地面に設けた穴を説明した図である。図４（Ａ）は上平面図を示し、図４（Ｂ）はＣ−Ｃ線から見た側面断面図を示す。まず、最初に地面に設けた穴４０について説明する。穴４０の大きさは、例えば、横７ｍ、縦７ｍ、深さ１．５ｍ位のものもある。
【００１４】
図４において、地下穴４０は周囲及び底部がコンクリートによって覆われている。さらに、内部に設けられたコンクリート内壁４１によって中央室４２と通風室４３に分離されている。中央室４２は箱体を配置するスペースで、４個の箱体２２が組み合わされて配置される。４個の箱体２２は何れも同じサイズで、同じ構造に製作されており、運搬及び組立てが容易になるように構成されている。箱体２２は隣接する２つの壁面に穴が設けられており、それらの穴にガイド２３が固設されている。各ガイド２３の外側端にはボルト等によって送風機２４が組立て可能に取付けられる。送風機２４にはベルトケース２５とモータケース２６が取付け可能になっている。
【００１５】
コンクリート内壁４１にはガイド２３を挿入可能な穴４５が合計８個（各箱体に２個の送風機を取付けた場合）設けられている。コンクリート内壁４１は、さらに補強壁４４によって補強され、同時に通風室４３を仕切っている。仕切られた各通風室４３には２台の送風機２４が穴４５を貫通して突出しているガイド２３の外側端にボルト等により取付けられる。送風機２４の下側には基台を設けてもよい。なお、補強壁４０は各通風室４３を連通する穴又は隙間を設けてもよい。
【００１６】
図２、図３に示すように、中央室４２の上側の開放部分には支持梁３１が設けられる。支持梁３１はコンクリート内壁４１の上端内部に設けられた切欠き３２と中央に設けられている支柱３３によって支持されている。切欠き３２はＬ型アングルによって補強しておくのが好ましい。支持梁３１の上側に格子状に形成された桁（梁の一種）３５が載置される。桁３５は４個に分割されて構成されており、支柱３３の上側に無数のパンチ穴を形成したパンチングメタル３７が載置される。
【００１７】
通風室４３の上側開放部分は各辺に開口３８を有する鋼板等によって覆われており、開口３８には外側空気が流通可能なグリッド状の隙間を持つカバー３９が開閉可能に取付けられている。開口３８は空気取り込み口の機能と点検口としての機能を兼用している。
【００１８】
第２実施形態は以上のように構成されているので、第１実施形態で述べた機能を有するだけでなく、大量のごみ類を短時間に乾燥できるという機能を有する。しかも、箱体２２、送風機２４等は地面に設けられた地下穴４０に設置されるので、スペースが広く活用できると共にごみ類の積載や除去のための運搬も容易になる。さらに、箱体２２は分割して構成されているので、運搬や製作が容易となり、従って、組立作業も容易になるという効果も得られている。
【００１９】
以上本発明の実施形態を図面に基づいて詳述してきたが、本発明の技術的範囲はこれに限られるものではなく、同一技術と見なされる設計変更等があっても本発明の技術範囲に属する。
【図面の簡単な説明】
【００２０】
【図１】本発明の第１実施形態を示す。（Ａ）は平面図を示し、（Ｂ）は側面図を示す。
【図２】第２実施形態の全体平面図を示す。
【図３】第２実施形態の側面断面図を示す。
【図４】第２実施形態の地下穴を示す。
【符号の説明】
【００２１】
１１、２２      箱体
１３、２３      ガイド
１５、２４      送風機
１６、２６      モータ
１７，２５      ベルトカバー  
１８，３１      支持梁
１９、３７      パンチングメタル（網状カバー）
３４            鋼板等（板材）
３５            桁
４０            地下穴
４１            コンクリート内壁
４２            中央室
４３            通風室
４４            補強壁
【図１】
2005034725.tif 000003
【図２】
2005034725.tif 000004
【図３】
2005034725.tif 000005
【図４】
2005034725.tif 000006